(57)【要約】【課題】従来のカード式カレンダーはカレンダー用紙（カード）をプラスチック製のケースに入れる、あるいは台紙に設けた切込やスリットに挿し込んで、カレンダー用紙を掲示し保持している。しかし、カレンダー用紙をケースや切込に出し入れするときに細かな手間がかかっていた。【解決手段】本願発明のカード式カレンダーは、カレンダー用紙と支持台よりなり、カレンダー用紙は上端縁にインデックス部を有し、支持台にあるポケット部に保持されている。カレンダー用紙は緩い状態で立て掛けられているため、掲示の取り替えは簡単であり、インデックス部を摘まんで取り出しや、もとに戻すことも容易にできる。そして、カレンダー用紙が支持台から脱落しないように、支持台に押え部を備えている。【選択図】  図１
2014083752.tif 000002
【特許請求の範囲】
【請求項１】
上端縁に月表示をしたインデックス部を有する複数枚のカレンダー用紙と、
これらのカレンダー用紙を立て掛ける支持台とよりなり、
前記支持台は立て掛けたカレンダー用紙の下端部を保持するポケット部と上端縁を押える押え部を有し、
前記カレンダー用紙の前記インデックス部は前記押え部と干渉しない位置に設けられていることを特徴とするカレンダー。
【請求項２】
上端縁に月表示をしたインデックス部を有する複数枚のカレンダー用紙と、
これらのカレンダー用紙を立て掛ける支持台とよりなり、
前記支持台は立て掛けたカレンダー用紙の下端部を保持するポケット部を有し、
前記ポケット部の左右側壁下部の間隔を、前記カレンダー用紙の幅より前記インデックス部の幅の半分相当だけ大きくしたことを特徴とするカレンダー。
【発明の詳細な説明】
【技術分野】
【０００１】
本願発明は、支持台を用いて複数のカレンダー用紙を掲示かつ保持するカード式カレンダーに関するものである。
【背景技術】
【０００２】
従来の月捲りの一般的カレンダーは、１年分のカレンダー用紙が用紙の上部を綴じ具で綴じられているものが多く見られる。また別な形の従来の一般的なカレンダーは、１年分のカレンダー用紙が用紙の上部をリング状の金属で回転自在に綴じられているものがある。しかし、ここでは本願発明に関するカレンダー用紙が切り離されたカード式カレンダーについて記述する。
従来のカード式カレンダーは、図１５に表すように、カード状のカレンダー用紙をプラスチックケースに上から、あるいは横から出し入れする方式のカレンダーが一般的である。
また、すべて紙製の卓上兼壁掛けカレンダーであって、背面支持板を折り曲げることで卓上カレンダーになる発明もある。カレンダー用紙を係止片の内側に挿し込むように挿入して掲示するカレンダーである。（図１６参照）（特許文献１参照）
さらに、台紙に斜め切込を設け、数枚のカレンダー用紙の角を切込に挿し込んで掲示することができる考案がある。（図１７参照）（特許文献２参照）
【先行技術文献】
【特許文献】
【０００３】
【特許文献１】特許第３８５８５９１号公報
【特許文献２】実用新案公開平７−２７８６６公報
【発明の開示】
【発明が解決しようとする課題】
【０００４】
前記のいずれの従来のカード式カレンダーは、下記のような課題がある。
従来のカード式カレンダーは、カレンダー用紙がケースから簡単に外れ落ちるのを防ぐために、カレンダー用紙が窮屈にケースに納められている。あるいは、簡単に抜け落ちないように切込に挿し込まれている。そのため次のような細かい手間（課題）がかかっている。
１）複数のカレンダー用紙をケースや切込に納める場合、カレンダー用紙をきれいに重ねて揃えないと納めることができない。
２）背後に隠れたカレンダー用紙一枚を取り出す場合、容易に取り出すことができない。あるいは、全てのカレンダー用紙を取り出してから目的とする一枚を取り出すなどの手間が掛る。
３）一枚のカレンダー用紙を重なったカレンダー用紙の間に挿し戻す場合、窮屈で戻すことが大変、あるいは、戻すことができない。
４）カレンダー用紙や写真を台紙の切込やスリットに挿し入れて掲示するカレンダーにおいては、台紙は平坦のままでカレンダー用紙や写真が曲がってしまう。
【課題を解決するための手段】
【０００５】
上記のような課題を解決するために、本願発明のカード式カレンダーは、
上端縁１ａに月表示をしたインデックス部２を有する複数枚のカレンダー用紙１と、
これらのカレンダー用紙１を立て掛ける支持台３とよりなり、
前記支持台３は立て掛けたカレンダー用紙１の下端部を保持するポケット部３ｅと上端縁１ａを押える押え部４を有し、
前記カレンダー用紙１の前記インデックス部２は前記押え部４と干渉しない位置に設けられていることを特徴とするカレンダーである。
【０００６】
また、前記ポケット部３ｅの左右側壁下部の間隔３ｉを、前記カレンダー用紙１の幅より前記インデックス部の幅２ｃの半分相当だけ大きくしたことを特徴とするカレンダーである。
【発明の効果】
【０００７】
本願発明のカード式カレンダーは次のような効果を得ることができる。
１）複数枚のカレンダー用紙であっても、大ざっぱに重ねるだけで支持台に立て掛けることができる。
２）カレンダー用紙が緩い状態で支持台に立て掛けられているため、目印となるインデックス部を摘まんで容易に目的のカレンダー用紙を取り出すことができる。
３）重なったカレンダー用紙は緩い状態で立て掛けられているため、一枚のカレンダー用紙を重なったカレンダー用紙の間に挿し戻すことは容易である。
４）カレンダー用紙や写真は平坦な状態で、掲示または保持される。
本願発明のカード式カレンダーは、上記のように一般的使用状況ではカレンダー用紙は緩く支持台に立て掛けられた状態であるため、掲示中のカレンダー用紙の取り替えや背後にあるカレンダー用紙の出し入れが容易で、手間がかからず、便利に使用することができる。また一般的ではない使用状況のとき、例えば窓際や出入り口付近の風の強い場所等で使用する場合、カレンダー用紙が支持台から脱落しないように、支持台に押え部を備えたカレンダーである。
【発明を実施するための形態】
【０００８】
以下図面を参照にしながら本願発明の好適な実施の形態を詳細に説明する。
まず、実施例１、２及び３を説明する前に、これら実施例に共通する本願発明の部材と部位等に関して説明する。
【０００９】
カレンダー用紙１の説明
カレンダー用紙１には一ケ月分の日付表示２１、曜日表示２２、月表示２３が記載されているが、二ケ月分以上であってもよい。また、歳時記や六曜の記載やメモ欄があってもよい。カレンダー用紙１の材質は紙または合成樹脂板で、薄くて丈夫なものであればよい。しかし支持台３に立て掛ける必要があることから、一枚の紙の硬さとして、ちり紙や新聞紙の様に柔らかいものは不適であり、一般的な学習ノートやパンフレット用紙が適当である。はがきや画用紙程度の硬さの紙質であれば十二分である。
【００１０】
カレンダー用紙１の寸法は、はがき、Ｌ版写真、ＫＧ版写真、Ａ６、Ａ５、Ａ４、Ｂ６、Ｂ５などの定格寸法とすると都合がよい。そうすることによって、本願発明の支持台３に同じ寸法の写真や用紙をそのまま立て掛けて、掲示かつ保持することが可能となり、便利である。尚本願発明では、発明の名称でカード式カレンダーと称しているが、カレンダー用紙は一枚一枚がカードのように単独であるという意味である。本願発明のカレンダー用紙はカードと言うには大きいＢ５やＡ４サイズの用紙も適用可能であるため、当説明文ではカードの名称の代わりにカレンダー用紙と称する。
【００１１】
本願発明のカレンダー用紙１は、いわゆるカード式であり、一枚一枚が単独の用紙である。このため、一般的カレンダーの概念の一ヶ月から数ヶ月の日付、曜日や月を記載したカレンダー用紙に加えて、用紙のサイズをカレンダー用紙と同じにした、一年間の日付や曜日を記載した用紙、地下鉄路線図、緊急連絡先リスト、予定表を記載した用紙、写真や絵を記載した用紙あるいは写真やカードを付加することができる用紙等を含めて、カレンダー用紙１として扱うことができる。
【００１２】
尚、基本的にカレンダー用紙は矩形であるが、よりカレンダー用紙を取り替えやすくするために、用紙の角を丸くした形状であってもよい。
【００１３】
インデックス部２の説明
カレンダー用紙１を支持台３から即座に選び出し、かつ摘まんで取り出せるようにするために、カレンダー用紙１は上端縁１ａに凸状のインデックス部２を有している。インデックス部２には、月表示の文字や記号やマークなどを記載する。前記の地下鉄路線図や緊急連絡先等の用紙にもインデックス部２があってもよい。
複数のカレンダー用紙１は重ね合わせて、支持台に立て掛ける状態となる。従って、インデックス部の月表示の文字や記号は重なり合って見えないことのないように、カレンダー用紙毎にインデックス部の位置をずらして配置する。
【００１４】
本願発明の主目的として、カレンダー用紙１を取り替え易くするという観点から、カレンダー用紙１は上端縁１ａに凸状のインデックス部２を有するものとするが、インデックス部は利用者に対する単に目印や見出しとしての役割だけではない。本願発明のカレンダー用紙１は後記するように、カレンダー用紙がポケット部３ｅに緩く立て掛けられている状態（窮屈ではない状態）にある。従って利用者がインデックス部２を摘まんで、隠れて見えないカレンダー用紙１を直接容易に取り出すことが可能である。
個々のインデックス部の大きさは、利用者がインデックス部を摘まんで目的とするカレンダー用紙を取り出すことができるように、縦横それぞれ１センチメートル程以上の大きさがよい。
【００１５】
図１の斜視図に表される想定のインデックス部２ａは、カレンダー用紙（１月から６月のカレンダー用紙）を裏返して支持台３に立て掛けたときの想定のインデックス部の位置を表している。図１のように、１月から６月のカレンダー用紙の裏面に７月から１２月の日付を記載したカレンダー用紙であっても、１月から１２月までのインデックス部が重ね合わさることがないようにインデックス部が配置され、インデックス部に記載された月表示等を常に見ることができるカレンダーである。
実施例ではインデックス部の凸状の形状は、図１では台形、図８では爪の形状であるが、半円形や三角形等の形状であってもよい。
【００１６】
干渉しない位置の説明
図１、図６及び図８に表されている、干渉する位置２ｂは、支持台３の有する押え部４がカレンダー用紙１の有するインデックス部２と干渉するカレンダー用紙の上端縁の位置を表している。
ここで、インデックス部が押え部と干渉するということは、インデックス部が押え部の下に隠れてしまって、インデックスに記載された月表示やその他の記号が見づらくなること。あるいは、インデックス部が押え部と重なって、押え部がインデックス部を押えてしまって、しっかりとカレンダー用紙を押えることができなくなること。あるいは、インデックス部が押え部の前面に位置して、カレンダー用紙を押え部の下に挟む作業をする際に、インデックス部が支障となることなどである。
干渉する位置２ｂの幅は、概ね押え部の幅４ａに余裕幅（左右側壁下部の間隔３ｉとカレンダー用紙の横幅の差を余裕幅とする）を加えた幅を最少とする。ここで、概ねとした理由は、インデックス部の凸部の形状、押え部の形状によって多少の差異が生じるからである。また、最少とした理由は、使用中の紙のゆがみやカレンダーの製作誤差等で押え部の位置やインデックスの位置が多少ずれることがある。そのため、干渉する位置２ｂは上記よりさらに数ミリメートル大きくした方がよい。
インデックス部２と押え部４が干渉しない位置とは、上記干渉する位置２ｂ以外のカレンダー用紙の上端縁１ａである。つまり、本願第一の発明のカレンダーは、カレンダー用紙１の上端縁１ａのインデックス部２は、支持台３に有る押え部４と干渉する位置２ｂ以外である押え部４と干渉しない位置に設ける。
【００１７】
「インデックス部の幅２ｃの半分相当」の説明
本願発明のカレンダーは複数のカレンダー用紙がそれぞれ凸状のインデックス部２を有している。インデックス部の月表示の文字や記号は重なり合って見えないことのないように、カレンダー用紙毎にインデックス部の位置をずらして配置する。
インデックス部の幅２ｃは左右隣接するインデックスとの中間点と中間点との間隔を言う。インデックス部の幅の半分相当とはインデックス部の幅２ｃの半分相当である。
インデックス部に記載する文字や記号によって、インデックス部の大きさが個々のカレンダー用紙によって異なる場合がある。インデックス部の大きさによってインデックス部の幅２ｃも異なるが、本願発明においてそのような場合は、インデックス部の幅の半分相当とは、最少のインデックス部の幅２ｃの半分の長さを言う。つまり、インデックスが重ならずに半分見えることで、そこに記載された文字や記号の判別がつくという理由で、本願発明では最少の値を採用する。
【００１８】
支持台３の説明
支持台３はカレンダー用紙の下端部を保持するポケット部３ｅを有して、掲示中のカレンダー用紙１を立て掛けて掲示する機能と、掲示していないカレンダー用紙１を立て掛けて保持する機能を有している。また、支持台３は本願第一の発明の押え部４を有してカレンダー用紙１の上端縁１ａを押える機能を有している。加えて、本願発明のカレンダーを壁に吊り下げるための機能、あるいは本願発明のカレンダーを卓上に立てる機能を有することができる。
【００１９】
支持台３の材質は、硬くしっかりとした紙または合成樹脂板がよい。支持台３の紙または板としての曲げや撓みの硬さは、郵便はがき程度以上の硬さが必要であり、卓上カレンダーとして使用する場合にはボール紙程度の硬さが適当である。
支持台３の寸法は、概ね掲示するカレンダー用紙１より大きい。掲示するカレンダー用紙１が２枚ないし３枚の場合、支持台３もそれなりに大きくする必要がある。支持台３を折り曲げてカレンダー用紙１を立て掛けて掲示し保持するためのポケット部３ｅ（底部、前面壁及び側壁）を形成する場合、それらの領域も必要である。
また、支持台３には本願発明のカレンダーを壁に吊るすための吊り具７を取付ける領域や卓上に起立させるための背面支持部９の領域が場合によって必要である。
【００２０】
ポケット部３ｅの説明
支持台３の有する底部３ｂ、前面壁３ｃ、左右側壁３ｄと背面部３ａとで囲まれた容器状の部分をポケット部３ｅと称する。カレンダー用紙が下に落ちないための底部と、カレンダー用紙が前面に落ちないための前面壁と、カレンダー用紙が側面に落ちないための側壁と背面からカレンダー用紙を支える背面部である。ポケット部３ｅには、カレンダー用紙の下端部を保持して、カレンダー用紙１を立て掛けて掲示する機能と、掲示中のカレンダー用紙及び掲示していないカレンダー用紙を重ねて立て掛けて保持する機能がある。
尚、ポケット部はカレンダー用紙が抜け落ちないことを条件に穴や開口部あるいは切れ目部分があってもよい。
【００２１】
底部３ｂの説明
カレンダー用紙の厚みは、官制はがきと同じ厚みの紙を使用した場合、０．２ミリメートル程度であるため、１２ヶ月分のカレンダー用紙１２枚とその他の地下鉄路線図等を含めて１５枚程度のカレンダー用紙を重ねた厚みは３ミリメートルである（０．２ミリメートル×１５枚＝３ミリメートル）。この場合、前面壁下部の奥行３ｆの寸法は、前記の重ねた１５枚のカレンダー用紙の厚み３ミリメートルより大きい４〜５ミリメートル程度で十分である。
基本的には使用するカレンダー用紙の厚みによることであるが、カレンダー用紙相互が密着して窮屈であると、不要な摩擦力等が作用して、カレンダー用紙を出し入れすることに手間取る。カレンダー用紙が相互に密着することなく緩い状態であるよう前面壁下部の奥行３ｆを定める必要がある。
ここで、前面壁下部の奥行３ｆが大きすぎると、カレンダー用紙が前後に不揃いに傾いて、カレンダー用紙が重ね合わさるという状況から逸脱して、カレンダー用紙の上端の高さが不揃いになるなどの弊害も現れる。
【００２２】
側壁３ｄの説明
左右側壁下部の間隔３ｉとはポケット部３ｅの底部の内側の幅を言う。
左右側壁下部の間隔３ｉがカレンダー用紙１の幅に近いと、カレンダー用紙をポケット部３ｅに出し入れするとき窮屈である。左右側壁下部の間隔３ｉが広ければ広いほどカレンダー用紙の出し入れは容易になる。しかしその分、複数のカレンダー用紙の重なりが横にずれて立て掛けられ、インデックス部も重なり合う状態になる。この重なりが横にずれて立て掛けられている状態の限度は、インデックス部の文字や記号の判別可能な範囲であるところの、インデックス部の幅２ｃの半分相当である。
上記の理由で、本願第二の発明のカレンダーは、ポケット部３ｅの左右側壁下部の間隔３ｉを、使用するカレンダー用紙１の幅よりインデックス部の幅２ｃの半分相当だけ大きくすることを特徴としている。
【００２３】
ここで、左右側壁下部の間隔３ｉとカレンダー用紙１の横幅の差をポケット部の余裕幅と称する。（本願第二の発明では、余裕幅はインデックス部の幅２ｃの半分相当としている。）
尚、カレンダー用紙１をポケット部３ｅに入れる入口が大きくなるため、左右側壁上部の間隔は左右側壁下部の間隔３ｉより大きくすることがよい。
【００２４】
前面壁３ｃの説明
前面壁の高さ３ｈは、高くすることでカレンダー用紙が落ちにくくなるが、逆に掲示中のカレンダー用紙の取り替え作業がやりにくくなる。
本願発明の主目的として、カレンダー用紙の取り替え作業及び出し入れを容易にするという観点から、前面壁の高さ３ｈは低ければ低いほどよい。
本願発明のカレンダーを壁掛けカレンダーとして使用する場合、支持台３は壁と平行で垂直になる。従ってカレンダー用紙も垂直に立て掛けられることになるため、前面壁の高さ３ｈは、カレンダー用紙の高さの概二分の一が適当で、日常的にはカレンダー用紙が支持台から外れ落ちることはない。しかしこの場合、前面壁が高いとカレンダーを見る障害となるため、前面壁と凹状にするとよい。
また、卓上カレンダーとして使用する場合、支持台３は後方に傾いて置かれる。カレンダー用紙は支持台３に傾斜して立て掛けて置かれることもあって、前面壁高さ３ｈは２センチメートル以下で、日常的にはカレンダー用紙が支持台から外れ落ちることはない。
【００２５】
カレンダー用紙はポケット部３ｅの中で、余裕幅の範囲で左右にずれて立て掛けられる。前面壁の高さ３ｈを高くして、正面から見て凹状に前面壁３ｃの中央部を低くする場合に、カレンダー用紙が前面側に落ちないようにするため、前面壁３ｃの両側の高い部分の幅は、前記余裕幅よりも大きくしておく必要がある。
【００２６】
前面壁上部３ｇの奥行の説明
前面壁上部の奥行はカレンダー用紙をポケット部に入れるときの入り口の寸法である。
本願発明の主目的として、毎月のカレンダー用紙の取り替えを容易にするという観点から、前面壁の前面壁上部の奥行３ｇを前面壁下部の奥行３ｆより大きくすることがよい。前面壁上部の奥行３ｇは大きいほどカレンダー用紙の出し入れは容易である。しかし前面壁上部の奥行３ｇが大き過ぎると、カレンダー用紙が風などに煽られて、あるいはカレンダーを利用者が手に持ったときなど、ポケット部３ｅから脱落し易くなってしまう。また本願発明のカレンダーを壁掛けカレンダーとして利用する場合に、台紙が垂直であるため、カレンダー用紙は上部の奥行の分だけ前方に傾斜して、利用者がカレンダーを見難くなるマイナスが生じる。
試作品での試行の結果により、上記の相反する事象に対する対処方法は、支持台３の前面壁３ｃと背面部３ａとがなす角度３αを１０度から１５度とすることが、この状況で最適である。（図２、図６を参照）
【００２７】
「立て掛ける」の説明
以上説明したように本願発明のカレンダーは、カレンダー用紙に対して、ポケット部の余裕幅、前面壁下部の奥行３ｆ、前面壁の高さ３ｈ、前面壁と背面部がなす角度３αに窮屈さがなく、緩い状態にあると言える。また、ポケット部３ｅの内部空間は概ね上面が大きく底面が小さい四角錐台の形状と言うことができる。つまり、入り口が大きく中が小さくなっているため、複数枚のカレンダー用紙１であっても大ざっぱに重ねるだけで支持台３に立て掛けることができる。このため、支持台３が垂直である壁掛けカレンダーの場合、カレンダー用紙を支持台３のポケット部に入れるときは、「落とし込む」という言葉が相応しい。また、支持台３が後方に傾斜している卓上カレンダーの場合では、「立て掛ける」という言葉が相応しい。既にポケット部３ｅにあるカレンダー用紙は緩い状態にあるため、背面部３ａまたは前面壁３ｃに寄り掛かっている状態であり、「立て掛けられている」ということができる。
【００２８】
押え部の使い方の説明
前記で説明したようにカレンダー用紙１はポケット部３ｅの中で、ゆるい状態で立て掛けられている。カレンダーの一般的使用状況においては、この状態であってもカレンダー用紙１がポケット部３ｅから脱落することはない。しかし強い風が吹いたり、カレンダーを斜めにしたり、揺らしたりした場合にカレンダー用紙１がポケット部３ｅから脱落し易い。そのような事態に対処して、カレンダー用紙１がポケット部か３ｅら脱落することを防ぐ役割をするのが、次に説明する支持台３に設けられた押え部４である。
【００２９】
本願発明のカレンダーを、風がある場所、窓際、部屋の出入り口付近、書類や事務用品が多く置かれ、卓上カレンダーを常に水平面上に置けない卓上等で使用する場合には、常時押え部４でカレンダー用紙１の上端縁１ａを押える方がよい。
【００３０】
押え部４の説明
本願発明のカレンダーの支持台３は、背面部３ａに立て掛けたカレンダー用紙の上端縁を押える押え部４を有する。押え部４の設置位置は、押え部の先端４ｄから押え部の付け根４ｃ間にカレンダー用紙１の上端縁１ａが納まるような上下方向の位置である。押え部の先端４ｄが３〜５ミリメートルほどカレンダー用紙１の上端縁１ａにかかるような位置が機能的によい。
また、押え部４の水平方向の位置はカレンダー用紙１のインデックス部２と干渉しない位置であり、押え部４とインデックス部２の位置を定めるときは、相互の位置を考慮して定める必要がある。
【００３１】
切込を引き起こした押え部の説明
支持台３が有する押え部４は、支持台３に切込５を設け、その切込５を引き起こして押え部４として利用することがコスト的にもよく、また機能的にも十分である。
切込５は支持台３の表面から裏面まで貫通していると押え部３を引き起こし易くてよい。しかし、表面あるいは裏面一部分を残した切込であってもよい。また、点線状に切込を設けたものであっても、押え片４として使用するときに、引き起こすことができればよい。
切込５の形状つまり（引き起こすと）押え部４の形状は図１０、図１１及び図１２で例を示している。押え部４は押え部の付け根４ｃ部分で支持台３と連なり、それ以外の部分で切込５によって支持台３から分離する。押え部４の形状は図に表した例以外であっても可能である。
押え部４は押え部の長さ４ｂと押え部の幅４ａとで縦横の大きさを表すことができる。押え部４は人の爪程の大きさが適当である。あまり小さいと扱い難い。またピンポン玉のように大きいとカレンダー用紙１の掲示の目障りとなる。
押え部の付け根４ｃを固定端として、押え部の先端４ｄを持ち上げて、押え部４の下にカレンダー用紙１を挿し込むことで、押え部４と底部３ｂ、前面壁３ｃ、左右側壁３ｄ及び背面部３ａとでカレンダー用紙１がポケット部３ｅから脱落することを阻止することができる。試作品においては、強い風はもちろんのこと、カレンダーを前傾しても、逆さまにしてもカレンダー用紙がポケット部３ｅから脱落することはなかった。
【００３２】
別な形態の押え部６の説明
支持台３が有する押え部４の別な形態を図１３の斜視図で表す。図１３の別な形態の押え部６は、楕円形の紙片（回転体６ｂ）を回転可能なビス６ａで支持台３に固定した押え部４である。回転体６ｂの長径が上下方向になったときに、別な形態の押え部６がカレンダー用紙を押え、回転体６ｂが９０度回転して短径が上下方向になったとき、カレンダー用紙１が別な形態の押え部６から解放された状態になる。
また、図１４では他の別な形態の押え部６を表している。この別な形態の押え部６は爪状の紙片（止め板６ｄ）の爪の付け根を止め針６ｃで支持台３に止めた構造である。爪状の先端を引き起こし、カレンダー用紙をその下に挿し込むことで押え部としての機能を果たすことができる。
【実施例１】
【００３３】
図１、図２、図３、図４及び図５は本願発明の実施例１を説明する図であり、図１は斜視図であり、図２はその側面図である。
図１及び図２で表されている本願発明のカレンダーは、
上端縁１ａに月表示をしたインデックス部２を有する複数枚のカレンダー用紙１と、
これらのカレンダー用紙１を立て掛ける支持台３とよりなり、
前記支持台３は立て掛けたカレンダー用紙１の下端部を保持するポケット部３ｅと上端縁１ａを押える押え部４を有し、
前記カレンダー用紙１の前記インデックス部２は前記押え部４と干渉しない位置（干渉する位置２ｂ以外の上端縁１ａ）に設けられていることを特徴とするカレンダーである。
図１では５月のカレンダー用紙１が支持台３のポケット部３ｅで保持され、立て掛けられて掲示されている。５月を除いた１、２、３、４月と６月のカレンダー用紙１は５月のカレンダー用紙１の背面に重ねて立て掛けられていて、隠れていて表面から見えない（掲示されていないが保持されている）。７月から１２月の日付は１月から６月のカレンダー用紙１の裏面に記載されているカレンダーである。
また、ポケット部３ｅの左右側壁下部の間隔３ｉを、前記カレンダー用紙１の幅より前記インデックス部の幅２ｃの半分相当だけ大きくしたことを特徴とするカレンダーである。このインデックス部の幅２ｃの半分相当だけ大きくしたことは、ポケット部３ｅの中で複数枚のカレンダー用紙１はインデックス部の幅２ｃの半分相当を最大としてずれて重なって立て掛けられていることである。その場合であっても、重なっていないインデックス部の半分を利用者が見ることができ、インデックスに記載された文字や記号を判別することができるカレンダーである。逆に、左右側壁下部の間隔３ｉをインデックス部の幅２ｃの半分相当より小さくすると、その分だけカレンダー用紙をポケット部に出し入れする作業が手間取ることになる。
【００３４】
図１では押え部４がカレンダー用紙１の上端縁１ａを押えている。カレンダーの一般的使用状況においては、押え部４でカレンダー用紙１を押えていない状態であっても、カレンダー用紙１がポケット部３ｅから外れ落ちることはない。  通常押え部４は使わずに、カレンダー用紙１の背後に、支持台３と同一平面に置かれて、不都合はない。前記したように、カレンダー用紙１はポケット部３ｅに緩く立て掛けられている状態であるため、背後に隠れたカレンダー用紙のインデックス部を摘まんで容易に取り出すことができる。また取り出したカレンダー用紙１をポケット部３ｅの最前面に立て掛ければ、カレンダーの掲示を取り替えることができる。よって毎月のカレンダー用紙の取り替えも容易である。複数枚のカレンダー用紙は緩く立て掛けられていることから、一枚のカレンダー用紙を重なったカレンダー用紙の間に戻すことも容易である。
本願発明のカレンダーは、上記のように一般的使用状況では細かい手間がかからず、便利に使用することができる。また一般的ではないカレンダーの使用状況、例えば窓際や出入り口付近の風の強い場所等で使用する場合に、カレンダー用紙１がポケット部３ｅから脱落し易い弱点を補う役割の押え部４を備えたカレンダーである。
【００３５】
実施例１のカレンダーは、穴７に紐を通して吊るすことで、壁掛けカレンダーとして使用できる。また、支持台３の背面部３ａの一部である背面支持部を折り曲げることで、卓上カレンダーとして使用できる。
【００３６】
図３、図４及び図５は実施例１の支持台３の説明図である。
図３は、支持台３の説明展開図である。図１の本願カレンダーは、図３で表される支持台３の下部を折り曲げ線１２で折り曲げることにより、底部３ｂ、前面壁３ｃ及び側壁３ｄのあるポケット部３ｅを形成することができるカレンダーである。
【００３７】
図４は、支持台３を折り曲げ線で折り曲げて、背面支持部９を背面部３ａに垂直にしたときの、背面から見た説明図である。図５は同じく側面から見た説明図である。
背面支持部９は、本願発明のカレンダーを卓上に傾斜させて起立させるためものであるが、背面支持部９は別な形態であってもよい。
固定片３ｊは、前面壁３ｃと側壁３ｄを支持台に一定の角度で固定するための支持台３の一部である。図４では、固定片３ｊを支持台３に設けた固定片用切込３ｋで押さえることで、固定片３ｊを支持台３に固定している。固定片３ｊを支持台３に固定する方法は、他の方法であってもよい。例えば他の形状の切込、接着剤や粘着テープ等を用いる方法であってもよい。
【実施例２】
【００３８】
図６は実施例２であり、本願発明の壁掛けカレンダーの正面図（Ａ）と側面図（Ｂ）である。
図６では、５月のカレンダー用紙と翌月の６月とのカレンダー用紙との二ケ月分が上下に並べて掲示されていて、見易く便利である。
６月になった時点で、６月のカレンダー用紙１を下段のポケット部３ｅから摘まみ取り、上段のポケット部３ｅに落とし込むと、次の二カ月分（６月と７月の）カレンダーを掲示することができる。
【００３９】
実施例２の本願発明のカレンダーは、１２枚のカレンダー用紙１は上端縁１ａに月表示をしたインデックス部２を有している。これらのカレンダー用紙１を立て掛ける支持台３は、立て掛けたカレンダー用紙１の下端部を保持するポケット部３ｅと上端縁１ａを押える押え部４を有している。
１２枚のカレンダー用紙１のインデックス部２は支持台３に設けられた押え部４と干渉しない位置に設けられていることを特徴とするカレンダーである。
【００４０】
実施例２のカレンダーのポケット部３ｅの前面壁の高さは３ｈカレンダー用紙の高さの概二分の一である。また、支持台３の前面壁３ｃと背面部３ａとがなす角度３αは１５度から１０度の範囲の中にある。図６では上段カレンダー用紙１は、一つの押え部で上端縁１ａを押さえている状況であるが、カレンダーの一般的使用状況（風が穏やかな場所等の状況）では押え部４でカレンダー用紙１を押さえる必要はない。また、下段のカレンダー用紙１は押え片４で押えられていない状態であるが、見苦しく１５度以上の角度で前方に傾斜することもない。
【００４１】
前面壁の高さ３ｈが低いほど、また前面壁の上部の奥行３ｇが大きいほど、カレンダー用紙をポケット部に出し入れする作業が容易となる。しかし、そうすることでカレンダー用紙はポケット部より脱落しやすくなる。その脱落を押え部４が機能して防ぐ。つまり本願発明のカレンダーはカレンダー用紙をポケット部に出し入れしやすく、かつカレンダー用紙がポケット部から脱落しにくいカレンダーであるため、使いやすいカレンダーであるといえる。
【００４２】
実施例２のカレンダーは、ポケット部３ｅの左右側壁下部の間隔３ｉを、前記カレンダー用紙１の幅より前記インデックス部の幅２ｃの半分相当だけ大きくしたことを特徴とするカレンダーである。そして、左右側壁の上部の間隔を左右側壁下部の間隔３ｉより大きくしたカレンダーである。つまり、前記前面壁３ｃと背面部３ａとがなす角度３αを含めて、ポケット部３ｅの形状は、概ね底面が小さく上面が大きい四角錐台の形状で構築されている。この形状のポケット部３ｅであることから、利用者は複数枚のカレンダー用紙を大ざっぱに重ねてポケット部に落とし込む方法で入れることができる。ポケット部の複数枚のカレンダー用紙は重ねられた状態でポケット部の中で立て掛けられた状態になる。カレンダー用紙相互の重なりのずれも、左右側壁下部の間隔３ｉによって、最大でインデックス部の半分相当であり、利用者はインデックス部を半分見て判別できる状況であり、機能的に不都合は発生しない。
【００４３】
尚、支持台３をより大きくし、ポケット部３ｅをもう一つ増やすことで、三ケ月分のカレンダー用紙を掲示するカレンダーは容易に製作可能であり、より便利なカレンダーということができる。
【００４４】
図７は、図６の支持台３の一部であるポケット部３ｅ（底部３ｂ、前面壁３ｃと側壁３ｄ）を説明するための展開図である。図に表すようにポケット部３ｅは支持台３とは分離した部材で構成することも容易に可能である。固定片３ｊによって支持台３に固定することができる。図７における固定片３ｊを支持台３に固定する方法は、支持台に固定片用切込を設けて、その切込に固定片３ｊを差し込む方法である。固定片３ｊを支持台３に固定する方法は、前記のように接着剤等を用いる他の方法であってもよい。
実施例３
【００４５】
図８は本願発明の実施例３であり、卓上カレンダーの斜視図である。
図８のカレンダーは、５月のカレンダー用紙が掲示され、翌月の６月とのカレンダー用紙二ケ月分が左右に並べて掲示されていて、見易く便利である。
６月になった時点で、６月のカレンダー用紙を右側のポケット部から取り出して、左側のポケット部に立て掛けることで、次の二カ月分（６月と７月）のカレンダーを掲示することができる。尚、７月から１２月の日付は１月から６月のカレンダー用紙の裏面に記載されているカレンダーである。
実施例３の本願発明のカレンダーは、６枚のカレンダー用紙１と１枚切込みを有したカレンダー用紙１１は上端縁１ａに月表示や記号を表示したインデックス部２を有している。これらのカレンダー用紙を立て掛ける支持台３は、立て掛けたカレンダー用紙１の下端部を保持するポケット部３ｅと上端縁１ａを押える押え部４を有している。
７枚のカレンダー用紙のインデックス部２は支持台３に設けられた押え部４と干渉しない位置に設けられていることを特徴とするカレンダーである。
カレンダー用紙の上端縁１ａのインデックス部２が押え部４と干渉する位置２ｂは図８に表記されている部分である。
【００４６】
図９は本願発明の実施例３の別な形態の、卓上カレンダーの斜視図である。
図９で表したカレンダーは図８の掲示中のカレンダー用紙１のうち一枚のカレンダー用紙１を、切込を有したカレンダー用紙１１に置き換えたものである。切込を有したカレンダー用紙１１には写真１０が装着されている。利用者自ら選んだ写真１０を掲示することができるため、親しみのある、オリジナルなカレンダーを表現することができる。この切込を有したカレンダー用紙１１を用いることで、写真は平坦な状態で掲示することができる。また、カレンダー用紙のサイズが写真のサイズと同サイズであれば、写真をそのままポケット部３ｅで立て掛けて掲示することが可能である。
このように、カレンダー用紙１を掲示するポケット部３ｅが複数あると、一方のポケット部３ｅをカレンダー以外に利用することができるため便利である。一方のポケット部に予定表、緊急連絡先、絵や標語等を掲示することで、付加価値のあるカレンダーを卓上に置くことができ、便利なカレンダーといえる。
【００４７】
実施例３のカレンダーは、支持台３の前面壁の高さが２センチメートル以下であり、卓上カレンダーとして使用するものである。しかし穴７に紐等を通して吊るすことで、壁掛けカレンダーとして利用することも可能である。しかしその場合、前面壁の高さが低いためカレンダー用紙が前面に落ち易い（カレンダーを吊下げることで、支持台の背面部が垂直に近づくため）。このような場合は、常時押え部４でカレンダー用紙の上端縁を押える必要が生じる。
【００４８】
本願発明のカレンダーの補足的な便利さとして以下のようなことを言うことができる。
過去の日付や書き込み（予定やメモ）を見たい時が多々ある。本願発明のカレンダーは過去のカレンダー用紙を保持することができるので、便利である。
図６や図８のカレンダーで掲示されるように、上段（左側）に５月、下段（右側）に６月という並びで月と日付が表示され、上方（左方）に過去、下方（右方）に未来という月表示と日付表示を順序正しく整列させることができ、便利である。
本願発明のカレンダーはカレンダー用紙１と支持台３よりなるため（全て紙製で製作することができる）、金属やプラスチックの材料を使用せず、環境に優しいカレンダーである。
【図面の簡単な説明】
【００４９】
【図１】本願発明実施例１の斜視図である。
【図２】本願発明実施例１の側面図である。
【図３】実施例１の支持台の説明展開図である。
【図４】実施例１の支持台を背面から見た説明図である。
【図５】実施例１の支持台を側面から見た説明図である。
【図６】本願発明実施例２の（Ａ）は正面図、（Ｂ）は側面図である。
【図７】実施例２のポケット部の説明図である。
【図８】本願発明実施例３の斜視図である。
【図９】本願発明実施例３の別な形態の斜視図である。
【図１０】押え部の具体例１（爪状の例）。
【図１１】押え部の具体例２（三角状の例）。
【図１２】押え部の具体例３（デザインをした形状の例）。
【図１３】別な形態の押え部の説明斜視図１。
【図１４】別な形態の押え部の説明斜視図２。
【図１５】従来のカレンダー１の（Ａ）は正面図、（Ｂ）は側面図である。
【図１６】従来のカレンダー２の正面図である。
【図１７】従来のカレンダー３の斜視図である。
【符号の説明】
【００５０】
１：カレンダー用紙
１ａ：上端縁
２：インデックス部
２ａ：想定のインデックス部
２ｂ：干渉する位置
２ｃ：インデックス部の幅
３：支持台                          
３ａ：背面部
３ｂ：底部
３ｃ：前面壁
３ｄ：側壁
３ｅ：ポケット部
３ｆ：前面壁下部の奥行
３ｇ：前面壁上部の奥行
３ｈ：前面壁の高さ
３ｉ：左右側壁下部の間隔
３ｊ：固定片
３ｋ：固定片用切込
３α：前面壁と背面部とがなす角度
４：押え部
４ａ：押え部の幅
４ｂ：押え部の長さ
４ｃ：押え部の付け根
４ｄ：押え部の先端
５：切込
６：別な形態の押え部
６ａ：ビス
６ｂ：回転体
６ｃ：止め針
６ｄ：止め板
７：穴
８：吊り具
９：背面支持部
１０：写真
１１：切込を有したカレンダー用紙
１２：折り曲げ線
２１：日付表示
２２：曜日表示
２３：月表示
３０：カレンダーケース
３１：台紙
３２：切込やスリット
３３：カレンダー用紙やカードを掲示するスペース
３４：折り曲げて卓上カレンダーにする背面支持板
３５：前面板
３６：係止片
【図１】
2014083752.tif 000003
【図２】
2014083752.tif 000004
【図３】
2014083752.tif 000005
【図４】
2014083752.tif 000006
【図５】
2014083752.tif 000007
【図６】
2014083752.tif 000008
【図７】
2014083752.tif 000009
【図８】
2014083752.tif 000010
【図９】
2014083752.tif 000011
【図１０】
2014083752.tif 000012
【図１１】
2014083752.tif 000013
【図１２】
2014083752.tif 000014
【図１３】
2014083752.tif 000015
【図１４】
2014083752.tif 000016
【図１５】
2014083752.tif 000017
【図１６】
2014083752.tif 000018
【図１７】
2014083752.tif 000019